【手続補正書】
【提出日】平成16年6月28日(2004.6.28)
【手続補正２】
【補正対象書類名】手続補正書
【補正対象項目名】手続補正１
【補正方法】変更
【補正の内容】
【手続補正１】
【補正対象書類名】明細書
【補正対象項目名】特許請求の範囲
【補正方法】変更
【補正の内容】
【特許請求の範囲】
【請求項１】
講演会、会議、展示会等で用いる、レーザ光を使った、位置を指し示すプレゼンテーションツールであって、光源となるレーザダイオードと、レーザダイオードを駆動させるためのレーザ駆動回路と、電源を供給するための電源供給部と、レーザダイオードを固定するためのレーザ固定部材と、各部品を収納するための外装ケースと、レーザ固定部材と外装ケースとの間にあって外装ケースの振動をレーザ固定部材に伝えにくくするための振動伝達減衰部材とよりなり外装ケースを手でもってレーザ光で位置を指し示そうとした時、手ぶれがレーザ固定部材に伝わりにくく、レーザ光で指し示されたポイントが細かく動く見苦しさをぼうしすることを特徴とする手ぶれ防止レーザポインター。
【請求項２】
前記振動伝達減衰部材がゴム材よりなっていることを特徴とする「請求項１」記載の手ぶれ防止レーザポインター。
【請求項３】
前記振動伝達減衰部材がゲル材よりなっていることを特徴とする「請求項１」記載の手ぶれ防止レーザポインター。
【請求項４】
前記振動伝達減衰部材が金属、プラスチックのばねよりなっていることを特徴とする「請求項１」記載の手ぶれ  防止レーザポインター。
【請求項５】
前記振動伝達減衰部材が請求項２〜４の部材の組み合わせでなっていることを特徴とする「請求項１」記載の手ぶれ防止レーザポインター。
【請求項６】
手ぶれ防止機能のより性能向上を図ることを目的とし、ピエゾ素子機能を追加したことを特徴とする「請求項１」記載の手ぶれ防止レーザポインター。
【手続補正３】
【補正対象書類名】手続補正書
【補正対象項目名】手続補正２
【補正方法】変更
【補正の内容】
【手続補正２】
【補正対象書類名】明細書
【補正対象項目名】発明の詳細な説明
【補正方法】変更
【補正の内容】
【発明の詳細な説明】
【産業上の利用分野】
本発明は講演会、会議、展示会等で用いる、レーザ光を使った、位置を指し示すプレゼンテーションツールのレーザポインターに関するものである。
【従来の技術】
近年、講演会、会議、展示会等で用いるプレゼンテーションツールとしてのレーザポインターの品質、性能の向上にはめざましいものがある。とりわけレーザの高寿命化、低消費電力化に関しては日々改善され、より高性能なものが究明され続けている。
以下、図面を参照しながら、従来のレーザポインターの一例について説明する。
図４は従来のレーザポインターの構成を示すものである。
図４において１はレーザポインターの光源となるレーザダイオードであり、２はレーザダイオードを駆動させるためのレーザ駆動回路、３はレーザ駆動回路に電源を供給するための電源供給部である。
４はレーザ駆動回路と電源供給部等をつなぐためのリード線であり、５はこれらの部品を収納するための外装ケース、６はこのように構成されたレーザポインターから出射されたレーザ光、７はこのレーザ光を投影面に当てた時のレーザスポットである。
以上のように構成されたレーザポインターが時には電源供給のスイッチが取りつけられていたり、時には液晶プロジェクターのリモコンの中に組み込まれてた状態で使用されている。
【発明が解決しようとする課題】
しかしながらこの構成においては、レーザダイオードがレーザ駆動回路に固定され外装ケースに直接固定されているため、外装ケース５を手で握り、レーザスポット７を投影面の指し示したい位置に当てた状態で維持しようとした場合、握っている手の微小な手振れがこの外装ケース５に伝わり、直接レーザダイオード１に伝わり、投影面のレーザスポット７が指し示したい位置を中心に細かく動き回ることになり、見苦しい状態となってしまう。
本発明は上記課題に鑑み、外装ケースを握ったときの手の微小な手振れがレーザダイオード１に伝わりにくくし、レーザスポット７が指し示したい位置から意思と無関係に動き回ることを防止できるレーザポインターを提供しようとするものである。
【問題を解決するための手段】
この問題を解決するために、本発明のレーザポインターは光源となるレーザダイオードと、レーザダイオードを駆動させるためのレーザ駆動回路と、電源を供給するための電源供給部と、レーザダイオードを固定するためのレーザ固定部材と、各部品を収納するための外装ケースと、レーザ固定部材と外装ケースとの間にあって外装ケースの振動をレーザ固定部材に伝えにくくする為の振動伝達減衰部材とよりなる構成としたものである。
【作用】
このような構成にすることにより、外装ケースを手で持ってレーザ光で位置を指し示そうとした時、手ぶれがレーザ固定部材に伝わりにくく、レーザ光で指し示されたポイントが細かく動くことなく、見苦しさを防止できる。
【実施例】
以下、本発明の一実施例のレーザポインターについて、図を参照しながら説明する。
図１において１はレーザポインターの光源となるレーザダイオードであり、２はレーザダイオードを駆動させるためのレーザ駆動回路、３はレーザ駆動回路に電源を供給するための電源供給部である。
４はレーザ駆動回路と電源供給部をつなぐためのリード線であり、５はこれらの部品を収納するための外装ケース、６はこのように構成されたレーザポインターから出射されたレーザ光、７はこのレーザ光を投影面に当てた時のレースポットである。
また、８はレーザダイオードを固定するためのレーザ固定部材、９はレーザ固定部材と外装ケースとの間にあって外装ケースの振動をレーザ固定部材に伝えにくくするための振動伝達減衰部材である。
以上のように構成されたレーザポインターについて以下その動作を説明する。
図１においてこのレーザポインターを用いて講演会、会議、展示会等のプレゼンテーションを行う場合、一般的に外装ケース５を手で握ってレーザスポット７を指し示そうとする位置に当てようとするが、外装ケース５から振動伝達減衰部材９を介してレーザ固定部材８を保持しているために外装ケースを握った微小な手振れはレーザ固定部材８に固定されたレーザダイオード１へは伝わりにくい構成となっている。
以上説明したように本発明によるレーザポインターはプレゼンテーション時において、手で握った時の微小な手振れを減衰し、レーザースポットが指し示された位置を中心に見苦しく動き回ることを防止したものである。
又、ここで他の実施例について説明しておく。
図２はレーザー駆動回路とレーザー固定部材が一体化されたレーザ駆動回路兼レーザダイオード固定部材１０にレーザダイオード１が固定されており、振動伝達減衰部材９を介して保持されている。
さらに図３に示されるようにレーザポインターを液晶プロジェクターリモートコントローラー部１１と一体化して使用するものもある。
また図５は手ぶれ防止機能のより性能向上を図ること目的とし、ピエゾ素子機能が追加されたものであり、１２はレーザ固定部材のふれを検出するためのピエゾ素子、１３は前記ピエゾ素子を支持するための弾性支持部材、１４、１５はレーザ固定部材を必要とする方向に動かすためのマグネットとコイル、１６はピエゾ素子を機能させるための制御回路である。
このレーザ固定部材８のふれを、外装ケース５に対し弾性保持部材１３を介して、レーザ固定部材に圧接させたピエゾ素子１２にて検出し、その信号にて制御回路１６を介してマグネット１４とコイル１５を駆動、レーザ固定部材を静止する方向に働かせる。